(57)【要約】【課題】格別に調光制御信号の入力端子等を備えることなく有機ＥＬパネルの調光制御を実現することができる発光駆動装置を提供すること。【解決手段】直流電源回路１２からの直流駆動電圧を受けて、有機ＥＬパネル１に加える直流電力を制御する制御出力部１３と、前記直流電源回路１２に入力される電圧値を検出する電圧検出部１４Ａと、前記電圧検出部１４Ａからの検出出力を受けて、前記制御出力部１３に与える制御信号ｃを生成するマイコン制御部１５とが具備されている。前記制御出力部１３は、前記マイコン制御部１５からの前記制御信号ｃに基づいて、前記有機ＥＬパネル１に加える直流電力量を制御するように構成されている。前記直流電源回路１２に与える電圧値を可変制御できる可変電圧出力装置２１Ａを外付けすることで、調光制御信号ライン等を備えることなく有機ＥＬパネルの調光制御を実現することができる。【選択図】図１
2011134469.tif 000002
【特許請求の範囲】
【請求項１】
直流電源回路からの直流駆動電圧を受けて、有機ＥＬパネルに加える直流電力を制御する制御出力部と、
前記直流電源回路に入力される電圧値を検出する電圧検出部と、
前記電圧検出部からの検出出力を受けて、前記制御出力部に与える制御信号を生成するマイコン制御部と、が具備され、
前記制御出力部は、前記マイコン制御部からの前記制御信号に基づいて、前記有機ＥＬパネルに加える直流電力量を制御するように構成したことを特徴とする有機ＥＬパネルの発光駆動装置。
【請求項２】
直流電源回路からの直流駆動電圧を受けて、有機ＥＬパネルに加える直流電力を制御する制御出力部と、
前記直流電源回路に入力される電流値を検出する電流検出部と、
前記電流検出部からの検出出力を受けて、前記制御出力部に与える制御信号を生成するマイコン制御部と、が具備され、
前記制御出力部は、前記マイコン制御部からの前記制御信号に基づいて、前記有機ＥＬパネルに加える直流電力量を制御するように構成したことを特徴とする有機ＥＬパネルの発光駆動装置。
【請求項３】
前記直流電源回路は、予め設定された直流定電圧を出力するように構成されていることを特徴とする請求項１または請求項２に記載された有機ＥＬパネルの発光駆動装置。
【請求項４】
前記マイコン制御部には、前記有機ＥＬパネルのパネル温度を検知するパネル温度センサからのパネル温度検知信号が供給されるように構成され、前記マイコン制御部は前記パネル温度検知信号を利用して、前記有機ＥＬパネルの温度補償制御を実行するように構成したことを特徴とする請求項１ないし請求項３のいずれか１項に記載された有機ＥＬパネルの発光駆動装置。
【請求項５】
前記マイコン制御部には、前記有機ＥＬパネルが設置された周囲温度を検知する周囲温度センサからの周囲温度検知信号がさらに供給されるように構成され、前記マイコン制御部は前記周囲温度検知信号と前記パネル温度検知信号とを利用して、前記有機ＥＬパネルの温度補償制御を実行するように構成したことを特徴とする請求項４に記載された有機ＥＬパネルの発光駆動装置。
【請求項６】
請求項１，３〜５項のいずれか１項に記載された発光駆動装置と、当該発光駆動装置に接続された有機ＥＬパネルによる組みが複数組具備され、前記発光駆動装置の電源入力端子が互いに並列接続されると共に、前記並列接続された電源入力端子に、出力電圧を可変することができる可変電圧出力装置からの出力電圧が供給されるように構成したことを特徴とする有機ＥＬパネルを用いた照明装置。
【請求項７】
請求項２〜５項のいずれか１項に記載された発光駆動装置と、当該発光駆動装置に接続された有機ＥＬパネルによる組みが複数組具備され、前記発光駆動装置の電源入力端子が互いに直列接続されると共に、前記直列接続された電源入力端子の両端間に、出力電流を可変することができる可変電流出力装置からの出力電流が供給されるように構成したことを特徴とする有機ＥＬパネルを用いた照明装置。
【発明の詳細な説明】
【技術分野】
【０００１】
この発明は、有機ＥＬ（Ｅｌｅｃｔｒｏ  Ｌｕｍｉｎｅｓｃｅｎｃｅ）パネルを、調光制御することができる有機ＥＬパネルの発光駆動装置および照明装置に関する。
【背景技術】
【０００２】
従来より点光源である白熱電球や、線光源である蛍光灯等が照明用の光源として多用されている。前者の白熱電球は歴史が古く、長期にわたって利用されているが、エネルギー効率（発光効率）が低く、寿命が短いなどの諸問題を抱えており、近年において注目されている温室効果ガスの排出削減などの理由から一部のメーカーにおいては製造中止の動きがでている。
【０００３】
また、後者の蛍光灯は、前者の白熱電球に比べて発光効率および演色性などにおいて改善はされているものの、廃棄時における水銀の処理等で、やはり環境問題において負担が大きい。
【０００４】
そこで、昨今においては、面発光光源としての有機ＥＬ素子が注目されている。この有機ＥＬ素子は直流の低電圧で駆動されることで高い発光効率を有し、軽量かつ薄型化が可能であることから、一部の携帯型機器などにおけるフラットパネルディスプレイ（ＦＰＤ）に利用されており、また同素子を例えば液晶表示素子のバックライトとして利用する形態のものも提供されている。
【０００５】
また、有機ＥＬ素子は発光層に用いる素材の選択により、種々の発光色を得ることができ、したがって各発光色を単独で、または二種以上の発光色を組み合わせることにより、白色もしくはこれに近い発光色を得ることも可能となる。それ故、有機ＥＬ素子を面発光光源（発光パネル）として構成することで、例えば装飾用の光源や、室内等を照明する高効率な面光源として利用することができる。
【０００６】
この場合、より発光輝度を高めると共に演色性を改善する手段として、いわゆるマルチフォトン素子が提案されている。このマルチフォトン素子は、陽極電極と陰極電極との間に複数の有機発光素子層を積層すると共に、隣り合う有機発光素子層の間に、中間導電層を設け、等価的に直列に接続された構成になされる。このようなマルチフォトン素子については、次に示す先行技術文献に開示されている。
【先行技術文献】
【特許文献】
【０００７】
【特許文献１】特開平１１−３２９７４８号公報
【特許文献２】特開２００３−４５６７６号公報
【特許文献３】特開２００３−２７２８６０号公報
【０００８】
図８および図９は、前記したマルチフォトン素子を照明用光源に応用した例を模式的な断面図で示したものである。まず図８に示す有機ＥＬパネル１は、２層の有機発光素子層によりマルチフォトン素子が形成されると共に、マルチフォトン素子が５つ直列接続された構成にされており、これは２段５直のマルチフォトン構成とも称呼されている。
【０００９】
すなわち、図８における符号２は、例えばガラス等の透明素材により形成された基板を示しており、この基板２上には、５つの領域に分けて透明電極（陽極電極）３が互いに分離された状態に形成されている。また、それぞれの透明電極３上には、順に有機発光素子層４ａ、中間導電層５、有機発光素子層４ｂ、対向電極（陰極電極）６が積層形成されており、これにより２段のマルチフォトン素子が形成されている。
【００１０】
さらに、前記対向電極６と、隣接する素子を構成する透明電極３との間には、導電体７がそれぞれ形成されて、素子が直列に接続されており、これにより前記した２段５直のマルチフォトン素子が構成されている。そして、導電体７により直列接続された素子の一端部における透明電極３と他端部における対向電極６との間に、直流電源Ｅが接続されることで、各素子の発光層４ａ，４ｂが発光し、その光は透明基板１を介して導出される。
【００１１】
一方、図９に示す有機ＥＬパネル１は、５層の有機発光素子層によりマルチフォトン素子が構成されており、これは５段マルチフォトン構成とも称呼されている。すなわち、符号２で示す透明基板上には透明電極（陽極電極）３が形成されており、この透明電極上には、有機発光素子層４ａ〜４ｅが、中間導電層５ａ〜５ｄを介して順次積層され、最上の有機発光素子層４ｅ上には、対向電極６が積層されている。
【００１２】
そして、透明電極３と対向電極６との間に、直流電源Ｅが接続されることで、各発光層４ａ〜４ｅがそれぞれ発光し、その光は透明基板１を介して導出される。
【００１３】
本件出願人の試作による前記したマルチフォトン構成の有機ＥＬパネルにおいては、図８および図９に示す構成における縦横の発光面の寸法は、それぞれ１４０ｍｍの正方形になされている。そして、図８に示す２段５直の構成においては、定格入力が３３Ｖ／０．９４Ａになされ、図９に示す５段構成のものにおいては、定格入力が２１．５Ｖ／１．４５Ａになされている。
【発明の概要】
【発明が解決しようとする課題】
【００１４】
前記した例で示すように、有機ＥＬパネルはたとえ同一の外形寸法になされていても、前記したマルチフォトン素子を用いた場合、面内の配列に応じて、定格電圧および電流がそれぞれ異なるものとなる。また同一構成の有機ＥＬパネルであっても経時変化により発光効率が低下することも知られている。さらに有機ＥＬパネルは、温度依存性を有していることは周知のとおりであり、環境温度が高いほど効率が高く、低温時は低いという特性を有している。
【００１５】
したがって、前記した定格入力電圧が異なる有機ＥＬパネルを発光駆動させるためには、定格入力電圧に応じた直流電源がそれぞれ必要であり、また有機ＥＬパネルの調光制御を行うには、有機ＥＬパネルに直流電力を供給する発光駆動装置に調光制御信号の入力端子等を備える必要が生ずる。
【００１６】
この出願の発明は、前記した定格入力電圧が異なる有機ＥＬパネルにも対応することができ、格別に調光制御信号の入力端子等を備えることなく有機ＥＬパネルの調光制御を実現することができる発光駆動装置を提供することを課題とするものである。加えてこの出願の発明は、有機ＥＬパネルの温度依存性を補償することができる発光駆動装置を提供することを課題とするものである。
【００１７】
さらにこの出願の発明は、前記した発光駆動装置と有機ＥＬパネルの組を複数組備えることで、各組の調光制御を一律に実行させることができる照明装置を提供することを課題とするものである。
【課題を解決するための手段】
【００１８】
前記した課題を解決するためになされたこの出願の発明にかかる第１形態の有機ＥＬパネルの発光駆動装置は、請求項１に記載のとおり、直流電源回路からの直流駆動電圧を受けて、有機ＥＬパネルに加える直流電力を制御する制御出力部と、前記直流電源回路に入力される電圧値を検出する電圧検出部と、前記電圧検出部からの検出出力を受けて、前記制御出力部に与える制御信号を生成するマイコン制御部とが具備され、前記制御出力部は、前記マイコン制御部からの前記制御信号に基づいて、前記有機ＥＬパネルに加える直流電力量を制御するように構成したことを特徴とする。
【００１９】
また、この出願の発明にかかる第２形態の有機ＥＬパネルの発光駆動装置は、請求項２に記載のとおり、直流電源回路からの直流駆動電圧を受けて、有機ＥＬパネルに加える直流電力を制御する制御出力部と、前記直流電源回路に入力される電流値を検出する電流検出部と、前記電流検出部からの検出出力を受けて、前記制御出力部に与える制御信号を生成するマイコン制御部とが具備され、前記制御出力部は、前記マイコン制御部からの前記制御信号に基づいて、前記有機ＥＬパネルに加える直流電力量を制御するように構成したことを特徴とする。
【００２０】
この場合、前記直流電源回路は、予め設定された直流定電圧を出力するように構成されていることが望ましい。
【００２１】
また、好ましくは前記マイコン制御部には、前記有機ＥＬパネルのパネル温度を検知するパネル温度センサからのパネル温度検知信号が供給されるように構成され、前記マイコン制御部は前記パネル温度検知信号を利用して、前記有機ＥＬパネルの温度補償制御を実行するように構成される。
【００２２】
加えて、前記マイコン制御部には、前記有機ＥＬパネルが設置された周囲温度を検知する周囲温度センサからの周囲温度検知信号がさらに供給されるように構成される場合もあり、前記マイコン制御部は前記周囲温度検知信号と前記パネル温度検知信号とを利用して、前記有機ＥＬパネルの温度補償制御を実行するように構成される。
【００２３】
そして、この出願の発明にかかる有機ＥＬパネルを用いた照明装置は、前記第１の形態の発光駆動装置と、当該発光駆動装置に接続された有機ＥＬパネルによる組みが複数組具備され、前記発光駆動装置の電源入力端子が互いに並列接続されると共に、前記並列接続された電源入力端子に、出力電圧を可変することができる可変電圧出力装置からの出力電圧が供給されるように構成される。
【００２４】
また、この出願の発明にかかる有機ＥＬパネルを用いた照明装置は、前記第２の形態の発光駆動装置と、当該発光駆動装置に接続された有機ＥＬパネルによる組みが複数組具備され、前記発光駆動装置の電源入力端子が互いに直列接続されると共に、前記直列接続された電源入力端子の両端間に、出力電流を可変することができる可変電流出力装置からの出力電流が供給されるように構成される。
【発明の効果】
【００２５】
前記した第１形態の発光駆動装置によると、直流電源回路に入力される電圧値に基づいて調光制御の情報を取得することができ、また第２形態の発光駆動装置によると、直流電源回路に入力される電流値に基づいて調光制御の情報を取得することができる。そして制御出力部は、前記調光制御の情報に基づいて有機ＥＬパネルに供給する電力量を制御するように動作する。
【００２６】
したがって、前記した発光駆動装置によると、格別に調光制御用の信号ライン等を用意することなく、発光駆動装置に対して調光制御情報を伝達することができる。また、例えば図８および図９に示したマルチフォトン構成により、定格電圧がそれぞれ異なる有機ＥＬパネルに対しても、それぞれの定格電圧に応じた駆動電力を供給することができ、定格入力が異なる各種の有機ＥＬパネルに対して汎用性を持たせた発光駆動装置を提供することができる。
【００２７】
また、前記した発光駆動装置においては、有機ＥＬパネルのパネル温度に基づいて、有機ＥＬパネルに加わる直流電力量の補償制御を実行するようになされるので、有機ＥＬ照明パネルの温度依存性を補償した照明装置を実現させることができる。
【００２８】
さらに、前記第１および第２形態の発光駆動装置は、当該発光駆動装置に接続された有機ＥＬパネルとの組みを複数組具備した照明装置を構成することができる。この場合、前記発光駆動装置の電源入力端子を互いに並列接続して、可変電圧出力装置からの出力電圧を供給することで、または前記発光駆動装置の電源入力端子を互いに直列接続して、可変電流出力装置からの出力電流を供給することで、各組の調光制御を一律に実行できる照明装置を提供することができる。
【図面の簡単な説明】
【００２９】
【図１】この発明にかかる第１形態の発光駆動装置とその周辺接続構成を示したブロック図である。
【図２】この発明にかかる第２形態の発光駆動装置とその周辺接続構成を示したブロック図である。
【図３】図１および図２に示す発光駆動装置内の直流電源回路の一例を示した回路構成図である。
【図４】発光駆動装置における温度補償動作を説明する特性線図である。
【図５】温度補償動作を実現させるメモリー構成の一例を示した模式図である。
【図６】第１形態の発光駆動装置を用いた照明装置の例を示したブロック図である。
【図７】第２形態の発光駆動装置を用いた照明装置の例を示したブロック図である。
【図８】マルチフォトン素子構造による有機ＥＬパネルの例を模式的に示した断面図である。
【図９】マルチフォトン素子構造による有機ＥＬパネルの他の例を模式的に示した断面図である。
【発明を実施するための形態】
【００３０】
以下、この発明にかかる有機ＥＬパネルの発光駆動装置について、図に示す実施の形態に基づいて説明する。図１は第１形態の発光駆動装置を用いた例をブロック図で示したものであり、符号１は例えば図８または図９に示した有機ＥＬパネルを示しており、符号１１はこの有機ＥＬパネル１を点灯駆動する発光駆動装置を示している。
【００３１】
前記発光駆動装置１１には直流電源回路１２が備えられ、この直流電源回路１２は、前記発光駆動装置１１に備えられた電源入力端子１１ａ，１１ｂを介して外部から供給される直流駆動電圧を受けて、これを直流の定電圧に変換出力するＤＣ−ＤＣコンバータの機能を備えている。また、直流電源回路１２により得られる直流定電圧は、制御出力部１３に供給されるように構成され、前記制御出力部１３は有機ＥＬパネル１に加える直流電力量（印加電圧）を制御するように機能する。
【００３２】
一方、前記電源入力端子１１ａ，１１ｂに供給される直流駆動電圧は、電圧検出部１４Ａに供給され、当該電圧検出部１４Ａは電源入力端子１１ａ，１１ｂに供給される直流電圧値を検出し、前記直流電圧値の検出出力ｖは、マイコン制御部１５に供給されるように構成されている。前記マイコン制御部１５は、前記検出出力ｖに基づいて制御信号ｃを生成し、この制御信号ｃを前記した制御出力部１３に供給するように構成されている。
【００３３】
前記した構成により、制御出力部１３は前記制御信号ｃに基づいて、前記有機ＥＬパネル１に加える直流電力量を制御するようになされ、結果として有機ＥＬパネル１に加わる直流電力量は、前記電源入力端子１１ａ，１１ｂに対して外部から供給される直流電圧値により制御できることになる。
【００３４】
さらに、前記マイコン制御部１５には、点灯駆動中における前記有機ＥＬパネル１のパネル温度を検知する温度センサＡ、すなわちパネル温度センサ１７からのパネル温度検知信号ｔａが供給されるように構成されている。またマイコン制御部１５には、前記有機ＥＬパネル１が設置された周囲温度、例えば室内温度を検知する温度センサＢ、すなわち周囲温度センサ１８からの周囲温度検知信号ｔｂが供給されるように構成されている。
【００３５】
前記パネル温度センサ１７および周囲温度センサ１８からの各温度検知信号ｔａ，ｔｂは、後で詳細に説明するとおり、マイコン制御部１５から制御出力部１３に供給される前記制御信号ｃを補正し、前記有機ＥＬパネル１の温度補償制御を実行するために利用される。
【００３６】
図１に示す発光駆動装置１１の電源入力端子１１ａ，１１ｂには、可変電圧出力装置２１Ａが接続されており、この可変電圧出力装置２１Ａは、交流電源（ＡＣ商用電源）２２からの電力を受けて、直流の可変電圧を出力するように動作する。なお、前記直流可変電圧の出力電圧レベルは、可変電圧出力装置２１Ａに接続された出力電圧設定部２３Ａの操作により制御できるように構成されている。
【００３７】
したがって、前記出力電圧設定部２３Ａの操作により、発光駆動装置１１の電源入力端子１１ａ，１１ｂに与える直流電圧値を制御することができ、これにより前記した制御出力部１３から有機ＥＬパネル１に加わる直流電力量（直流電圧値）を制御することができることになる。
【００３８】
それ故、前記出力電圧設定部２３Ａは、発光駆動装置１１に接続される前記した定格入力電圧が異なる有機ＥＬパネル１に応じて、この有機ＥＬパネルに与える直流電圧値を設定することができ、また有機ＥＬパネルの調光制御を果たすことができる。すなわち、有機ＥＬパネルの調光制御等は、格別に調光制御用の信号ライン等を用意することなく実現することができる。
【００３９】
次に図２は、第２形態の発光駆動装置を用いた例をブロック図で示したものである。この第２形態の発光駆動装置１１は、当該発光駆動装置１１の電源入力端子１１ａ，１１ｂに供給される直流電流値が制御されることで、発光駆動装置１１に接続された有機ＥＬパネル１の調光制御等を実現させる点に特徴を有するものである。なお、図２においては、図１に示す各部と同一の機能を果たす部分を同一符号で示しており、したがってその詳細な説明は適宜省略する。
【００４０】
この図２に示す構成においては、発光駆動装置１１の直流電源回路１２に供給される駆動電流値を検出する電流検出部１４Ｂが備えられている。この電流検出部１４Ｂにより検出された検出出力ｉが、マイコン制御部１５に供給されるように構成されている。そして、前記マイコン制御部１５は、前記検出出力ｉに基づいて制御信号ｃを生成するように作用する。
【００４１】
制御出力部１３は前記制御信号ｃに基づいて、直流電源回路１２からもたらされる直流定電圧のレベル調整を行い、前記有機ＥＬパネル１に加える直流電力量を制御するように動作する。これにより、有機ＥＬパネル１に加わる直流電力量は、前記電源入力端子１１ａ，１１ｂに対して外部から供給される直流電流値により制御できることになる。
【００４２】
なお、図２に示す第２形態においても、パネル温度センサ１７および周囲温度センサ１８からの各温度検知信号ｔａ，ｔｂがマイコン制御部１５に供給されるように構成されている。これによりマイコン制御部１５から制御出力部１３に供給される前記制御信号ｃを補正して、有機ＥＬパネル１の温度補償制御を実行するように作用する。
【００４３】
一方、図２に示す発光駆動装置１１の電源入力端子１１ａ，１１ｂには、可変電流出力装置２１Ｂが接続されており、この可変電流出力装置２１Ｂは、交流電源（ＡＣ商用電源）２２からの電力を受けて、直流の可変電流を出力するように動作する。なお、前記直流可変電流の値は、可変電流出力装置２１Ｂに接続された出力電流設定部２３Ｂの操作により制御できるように構成されている。
【００４４】
したがって、前記出力電流設定部２３Ｂの操作により、発光駆動装置１１の電源入力端子１１ａ，１１ｂに供給される直流電流値を制御することができ、これにより前記した制御出力部１３から有機ＥＬパネル１に加わる直流電力量（直流電圧値）を制御することができることになる。
【００４５】
それ故、前記出力電流設定部２３Ｂは、発光駆動装置１１に接続される前記した定格入力電圧が異なる有機ＥＬパネル１に応じて、この有機ＥＬパネルに与える直流電圧値を設定することができ、また有機ＥＬパネルの調光制御を果たすことができる。すなわち、前記調光制御等は、格別に調光制御用の信号ライン等を用意することなく実現することができる。
【００４６】
図３は、図１および図２に示した発光駆動装置１１において好適に用いることができる直流電源回路１２、すなわちＤＣ−ＤＣコンバータの例を示すものである。このＤＣ−ＤＣコンバータは、昇圧型のスイッチングレギュレータにより構成されている。
【００４７】
すなわち、スイッチング素子Ｑ１のオン動作によりコイルＬ１に蓄積された電磁エネルギーは、スイッチング素子Ｑ１のオフ動作によりダイオードＤ１を介してコンデンサＣ１に充電作用を与えるように動作する。前記コイルＬ１に蓄積された電磁エネルギーによる出力電圧は、ＤＣ−ＤＣコンバータの入力端に供給される直流電圧に加算されるため、出力直流電圧は常に入力直流電圧よりも大きな昇圧動作を伴うことになる。
【００４８】
前記直流電源回路（スイッチングレギュレータ）１２の出力電圧は、抵抗素子Ｒ１，Ｒ２により分圧されて、電圧コンパレータ１２ａにより基準電圧Ｅ１と比較され、その差分電圧（エラー電圧）がＰＷＭ部１２ｂに供給されるように構成されている。そして前記ＰＷＭ部１２ｂは、前記エラー電圧に対応したデューティ比のパルス信号を生成し、このパルス信号により前記スイッチング素子Ｑ１をオンオフ動作させるフィードバックループが形成されている。
【００４９】
したがって、前記直流電源回路（スイッチングレギュレータ）１２は、入力電圧の値が特定の範囲内であれば、その入力電圧の大小にかかわらず、一定の出力電圧（定電圧）を確保することが可能となる。
【００５０】
なお、図３に示す直流電源回路（スイッチングレギュレータ）１２からの直流定電圧を受ける図１または図２に示す制御出力部１３は、前記したマイコン制御部１５からの制御信号ｃに応じて直流電源回路１２からの直流定電圧を可変分圧し、その分圧出力を前記有機ＥＬパネル１に供給できる機能を有するものであれば、いずれの回路構成も採用することができる。
【００５１】
図４は、図１および図２に示すマイコン制御部１５によってなされる制御信号ｃに対する温度検知信号ｔａ，ｔｂによる補正動作、すなわち有機ＥＬパネル１に加わる駆動電力の温度補償の作用について説明するものである。なお、図４は有機ＥＬパネル１の電流ｉ−電圧Ｖ特性を示すものであり、横軸はパネル１への印加電圧（駆動電圧）Ｖを示しており、縦軸はこの時に流れるパネルの１平方メートル（１ｍ2）に換算した駆動電流値ｉ、すなわち電流密度（Ａ／ｍ2）を示している。
【００５２】
有機ＥＬパネルは、周知のとおり発光閾値電圧以上の駆動電圧を印加することにより、急激に電流が流れて発光する性質を有している。そして、駆動電圧が発光閾値電圧以上の場合においては、駆動電流値にほぼ比例した輝度で発光することが知られている。また有機ＥＬパネルは、高温になるほど発光閾値電圧が小さくなり、低温になるほど発光閾値電圧が大きくなる。そして、同じ発光可能な印加電圧を与えても高温時には明るく、低温時は暗いという輝度の温度依存性を有している。
【００５３】
図４に示す特性曲線ａは、図８に示した２段５直のマルチフォトン構成によるＥＬパネル〔定格入力３３Ｖ／０．９４Ａ（約３１Ｗ）〕のｉ−Ｖ特性を示すものであり、曲線ａｈは高温時、また曲線ａｌは低温時のｉ−Ｖ特性をそれぞれ示している。また、図４に示す特性曲線ｂは、図９に示した５段のマルチフォトン構成によるＥＬパネル〔定格入力２１．５Ｖ／１．４５Ａ（約３１Ｗ）〕のｉ−Ｖ特性を示すものであり、曲線ｂｈは高温時、また曲線ｂｌは低温時のｉ−Ｖ特性をそれぞれ示している。
【００５４】
例えば、図８に示した２段５直の有機ＥＬパネルのｉ−Ｖ特性は、前記した温度依存性により、ａｈ〜ａｌの範囲で変化する。したがって、図１および図２に示すパネル温度センサ１７により得られるパネル温度検知信号ｔａおよび周囲温度センサ１８により得られる周囲温度検知信号ｔｂを利用し、マイコン制御部１５は制御出力部１３に与える制御信号ｃの値を補償するように動作する。
【００５５】
この場合、図４に等電力曲線ｐａで示すように入力電力が“３１Ｗ”（１ｍ2換算で１５８４Ｗ＝３３Ｖ／４８Ａ）の場合において、高温時（特性ａｈ）の状態においては、有機ＥＬパネル１には駆動電圧としてｖ１（図４に示す例においては、約３０Ｖ）を加えるように制御信号ｃの値を制御する。また、低温時（特性ａｌ）の状態においては、有機ＥＬパネル１に加える駆動電圧としてｖ２（図４に示す例においては、約３６Ｖ）を加えるように制御信号ｃの値を制御する。
【００５６】
これにより、有機ＥＬパネル１は温度依存性が補償された発光輝度で点灯駆動されることになる。なお、以上は図８に示した２段５直の有機ＥＬパネルのｉ−Ｖ特性を基づく温度補償の制御態様を説明したものであるが、図９に示した５段構成の有機ＥＬパネルにおいても、同様の制御態様による温度補償を行うことができる。
【００５７】
そして図１に示す実施の形態においては、出力電圧設定部２３Ａの設定を変化させることで、また図２に示す実施の形態においては、出力電流設定部２３Ｂの設定を変えることで、有機ＥＬパネル１の発光輝度（調光度合い）を変更することができる。
【００５８】
前記したように、有機ＥＬパネル１の発光輝度（調光度合い）を変更した場合においても、出力電圧設定部２３Ａまたは出力電流設定部２３Ｂに設定される調光度合いに基づく図４に示す等電力曲線をｐａに応じて、前記と同様の温度補償動作を実現させることができる。
【００５９】
図５は、有機ＥＬパネル１の温度補償動作を実現させる場合に利用されるルックアップテーブルの例を示した模式図である。このルックアップテーブルは、例えばフラッシュメモリーを用いて構築され、このフラッシュメモリーは、一例として各有機ＥＬパネル１に搭載される。そして、図１および図２には示していないが、マイコン制御部１５からの指令により、有機ＥＬパネル１に搭載された前記フラッシュメモリーから有機ＥＬパネルの点灯累積時間（経時データ）および温度補償データ等を読み出すと共に、フラッシュメモリーに対して前記点灯累積時間を書き込む等の操作が行われる。
【００６０】
前記フラッシュメモリーに構築されるルックアップテーブルは、図５に示すように二次元に構築されたデータマップが複数枚用意されている。そして、有機ＥＬパネル１の点灯累積時間のデータがメモリーの一部に格納されており、この点灯駆動時間に応じて、二次元に構築されたマップのいずれかが採用される。すなわち図５に模式的に示した構成においては、有機ＥＬパネル１の点灯累積時間に伴って、矢印Ｐで示す方向のデータマップが順次採用されることになる。
【００６１】
前記各データマップには、パネル温度センサ１７により得られるパネル温度検知信号ｔａの値を横軸に、前記パネル温度検知信号ｔａと、周囲温度センサ１８により得られる周囲温度検知信号ｔｂとの差分（ｔａ−ｔｂ）に対応した値を縦軸にして、二次元の状態に温度補償データが記述されている。
【００６２】
ところで、前記有機ＥＬパネル１の温度補償動作は、前記パネル温度センサ１７により得られるパネル温度検知信号ｔａの値に応じて実行することが可能であるものの、周囲温度が常温から極端に離れるような場合、例えば極端に寒冷な雰囲気の場合には、この周囲温度の影響を受けてパネル温度検知信号ｔａのみでは、有機ＥＬパネル１に対する正確な温度補償動作を実現することが不可能になる。
【００６３】
そこで、パネル温度検知信号ｔａと周囲温度検知信号ｔｂとの差分（ｔａ−ｔｂ）を求め、パネル温度検知信号ｔａに対応させると共に、前記差分に応じた温度補償データを求めることで、より正確な温度補償動作を実現することが可能となる。
【００６４】
斯くして、図１に示すマイコン制御部１５は、前記した点灯累積時間、前記パネル温度検知信号ｔａ、周囲温度検知信号ｔｂに基づいて、前記ルックアップテーブルより温度補償データを読み出し、読み出した温度補償データに基づいて、前記制御出力部１３に供給する制御信号ｃを補正するようになされる。
【００６５】
これにより、有機ＥＬパネルの点灯累積時間に対応した経時変化および温度依存性を補償した照明装置を実現させることができる。
【００６６】
図６は、図１に示した発光駆動装置１１と有機ＥＬパネル１による組みを複数組具備して照明装置を構成した例を示すものである。この例では発光駆動装置１１の電源入力端子１１ａ，１１ｂが互いに並列接続されると共に、前記並列接続された電源入力端子１１ａ，１１ｂに、出力電圧が可変することができる電圧出力装置２１Ａからの出力電圧が供給されるように構成されている。
【００６７】
図６に示す照明装置によると、格別に調光制御用の信号ライン等を用意することなく、可変電圧出力装置２１Ａからの出力電圧を変更することで、各組の調光制御を一律に実行することができる。
【００６８】
図７は、図２に示した発光駆動装置１１と有機ＥＬパネル１による組みを複数組具備して照明装置を構成した例を示すものである。この例では発光駆動装置１１の電源入力端子１１ａ，１１ｂが互いに直列接続されると共に、前記直列接続された電源入力端子の両端間に、出力電流を可変することができる可変電流出力装置２１Ｂからの出力電流が供給されるように構成されている。
【００６９】
図７に示す照明装置によると、格別に調光制御用の信号ライン等を用意することなく、可変電流出力装置２１Ｂからの出力電圧を変更することで、各組の調光制御を一律に実行することができる。
【００７０】
なお、前記した実施の形態においては、有機ＥＬパネル１に加える直流電力としては、平滑化された直流出力が用いられているが、これは直流パルス波であっても良い。
【符号の説明】
【００７１】
１      有機ＥＬパネル
１１    発光駆動装置
１１ａ  電源入力端子
１１ｂ  電源入力端子
１２    直流電源回路
１２ａ  電圧コンパレータ
１２ｂ  ＰＷＭ部
１３    制御出力部
１４Ａ  電圧検出部
１４Ｂ  電流検出部
１５    マイコン制御部
１７    パネル温度センサ
１８    周囲温度センサ
２１Ａ  可変電圧出力装置
２１Ｂ  可変電流出力装置
２２    交流電源（ＡＣ商用電源）
２３Ａ  出力電圧設定部
２３Ｂ  出力電流設定部
【図１】
2011134469.tif 000003
【図２】
2011134469.tif 000004
【図３】
2011134469.tif 000005
【図４】
2011134469.tif 000006
【図５】
2011134469.tif 000007
【図６】
2011134469.tif 000008
【図７】
2011134469.tif 000009
【図８】
2011134469.tif 000010
【図９】
2011134469.tif 000011